(57)【要約】【課題】照射された光に応じた表示を行う表示媒体において画像を書き換えるときの消費電力を低減させる。【解決手段】制御部１１０は、反射率検出部１６０によって、表示媒体２００の反射率を検出させ、その反射率を取得する。次に、制御部１１０は、取得した反射率が閾値以下であるか否かを判定する。この閾値は、フォトリセットとダークリセットのどちらを選択するかを判断する基準となる値である。ここで、取得した反射率が閾値以下であれば、表示媒体２００が高温環境に放置されているなどの理由でその表示面の反射率が大きく低下しているということを意味するので、制御部１１０は、フォトリセットの処理に進む。一方、取得した反射率が閾値を超えていれば、制御部１１０は、ダークリセットの処理に進む。【選択図】図１
2010078710.tif 000002
【特許請求の範囲】
【請求項１】
照射される光に応じた表示を行う表示媒体の表示面における、光の反射率を取得する取得手段と、
前記表示媒体に表示されている画像を消去するときに、電圧を印加する電圧印加手段により当該表示媒体に電圧を印加させるとともに、前記取得手段によって取得された反射率に応じた光量の光を光源から当該表示媒体に対して照射させる画像消去手段と
を備える画像消去装置。
【請求項２】
前記画像消去手段は、
前記取得手段によって取得された反射率が閾値以下の場合には、前記表示媒体に表示されている画像を消去するときに、当該表示媒体に電圧を印加させるとともに、当該表示媒体に対して光を照射させ、
前記取得手段によって取得された反射率が前記閾値を超える場合には、前記表示媒体に表示されている画像を消去するときに、当該表示媒体に対して光を照射させずに、当該表示媒体に電圧を印加させる
ことを特徴とする請求項１記載の画像消去装置。
【請求項３】
前記取得手段によって取得された反射率が前記閾値以下の場合において、
前記画像消去手段は、
前記取得手段によって取得された反射率が第１の値である場合には、前記表示媒体に表示されている画像を消去するときに、当該表示媒体に電圧を印加させるとともに、当該表示媒体に対して第１の光量の光を照射させ、
前記取得手段によって取得された反射率が前記第１の値よりも小さい第２の値である場合には、前記表示媒体に表示されている画像を消去するときに、当該表示媒体に電圧を印加させるとともに、当該表示媒体に対して前記第１の光量よりも大きい第２の光量の光を照射させる
ことを特徴とする請求項２記載の画像消去装置。
【請求項４】
照射される光に応じた表示を行う表示媒体の少なくとも一部の表示面に、決められた色の画像を書き込む書込手段と、
前記書込手段によって画像が書き込まれた表示面における光の反射率を検出する検出手段と、
前記表示媒体に表示されている画像を消去するときに、電圧を印加する電圧印加手段により当該表示媒体に電圧を印加させるとともに、前記検出手段によって検出された反射率に応じた光量の光を光源から当該表示媒体に対して照射させる画像消去手段と
を備える画像書込装置。
【請求項５】
コンピュータを、
照射される光に応じた表示を行う表示媒体の表示面における、光の反射率を取得する取得手段と、
前記表示媒体に表示されている画像を消去するときに、電圧を印加する電圧印加手段により当該表示媒体に電圧を印加させるとともに、前記取得手段によって取得された反射率に応じた光量の光を光源から当該表示媒体に対して照射させる画像消去手段と
して機能させるためのプログラム。
【発明の詳細な説明】
【技術分野】
【０００１】
本発明は、画像消去装置、画像書込装置及びプログラムに関する。
【背景技術】
【０００２】
照射される光に応じた表示を行う表示媒体が開発されている。特許文献１には、この表示媒体に対して光を照射するとともに電圧を印加して、表示媒体に画像を書き込む技術が開示されている。特許文献２には、この表示媒体に対して画像を書き込むための照射手段と、その画像を消去するための照射手段とを備える画像書込装置が開示されている。
【特許文献１】特開２００７−２９９０１６号公報
【特許文献２】国際公開第２００４／０６８２３０号パンフレット
【発明の開示】
【発明が解決しようとする課題】
【０００３】
表示媒体に対して画像を書き込むときと、その画像を消去するときには、その表示媒体に対して光を照射するので、その照射のための電力が必要となる。
本発明は、照射される光に応じた表示を行う表示媒体に表示されている画像を消去するときに、その表示媒体の表示面における反射率に応じた光量で、その表示面の反射率を回復させることを目的とする。
【課題を解決するための手段】
【０００４】
上記課題を解決するため、請求項１に係る発明は、照射される光に応じた表示を行う表示媒体の表示面における、光の反射率を取得する取得手段と、前記表示媒体に表示されている画像を消去するときに、電圧を印加する電圧印加手段により当該表示媒体に電圧を印加させるとともに、前記取得手段によって取得された反射率に応じた光量の光を光源から当該表示媒体に対して照射させる画像消去手段とを備える画像消去装置を提供する。
【０００５】
また、請求項２に係る発明は、請求項１記載の構成において、前記画像消去手段は、
前記取得手段によって取得された反射率が閾値以下の場合には、前記表示媒体に表示されている画像を消去するときに、当該表示媒体に電圧を印加させるとともに、当該表示媒体に対して光を照射させ、前記取得手段によって取得された反射率が前記閾値を超える場合には、前記表示媒体に表示されている画像を消去するときに、当該表示媒体に対して光を照射させずに、当該表示媒体に電圧を印加させる。
【０００６】
また、請求項３に係る発明は、請求項２記載の構成において、前記取得手段によって取得された反射率が前記閾値以下の場合において、前記画像消去手段は、前記取得手段によって取得された反射率が第１の値である場合には、前記表示媒体に表示されている画像を消去するときに、当該表示媒体に電圧を印加させるとともに、当該表示媒体に対して第１の光量の光を照射させ、前記取得手段によって取得された反射率が前記第１の値よりも小さい第２の値である場合には、前記表示媒体に表示されている画像を消去するときに、当該表示媒体に電圧を印加させるとともに、当該表示媒体に対して前記第１の光量よりも大きい第２の光量の光を照射させる。
【０００７】
また、請求項４に係る発明は、照射される光に応じた表示を行う表示媒体の少なくとも一部の表示面に、決められた色の画像を書き込む書込手段と、前記書込手段によって画像が書き込まれた表示面における光の反射率を検出する検出手段と、前記表示媒体に表示されている画像を消去するときに、電圧を印加する電圧印加手段により当該表示媒体に電圧を印加させるとともに、前記検出手段によって検出された反射率に応じた光量の光を光源から当該表示媒体に対して照射させる画像消去手段とを備える画像書込装置を提供する。
【０００８】
また、請求項５に係る発明は、コンピュータを、照射される光に応じた表示を行う表示媒体の表示面における、光の反射率を取得する取得手段と、前記表示媒体に表示されている画像を消去するときに、電圧を印加する電圧印加手段により当該表示媒体に電圧を印加させるとともに、前記取得手段によって取得された反射率に応じた光量の光を光源から当該表示媒体に対して照射させる画像消去手段として機能させるためのプログラムを提供する。
【発明の効果】
【０００９】
請求項１に係る発明によれば、表示媒体の表示面における反射率に応じた光量で、表示面の反射率を回復させることができる。
請求項２に係る発明によれば、当該発明の構成を有しない場合と比較して、より処理が簡便になる。
請求項３に係る発明によれば、当該発明の構成を有しない場合と比較して、より処理が簡便になる。
請求項４に係る発明によれば、書込手段によって画像が書き込まれた表示面における光の反射率を検出し、その反射率に応じた光量で、表示面の反射率を回復させることができる。
請求項５に係る発明によれば、表示媒体の表示面における反射率に応じた光量で、表示面の反射率を回復させることができる。
【発明を実施するための最良の形態】
【００１０】
本発明の一実施形態について説明する。
（１）構成
図１は、照射される光に応じた表示を行う表示媒体に対して画像の書き込みを行う書込装置１の構成を示すブロック図である。
書込装置１は、書込ユニット１００、制御部１１０、記憶部１４０、反射率検出部１６０、通信部１７０及び操作部１９０を備えた画像書込装置である。制御部１１０は、ＣＰＵ（Central Processing Unit）などの演算装置やメモリなどの記憶手段を備え、書込装置１の各部の動作を制御する。この制御部１１０は、表示媒体に表示された画像を消去させる画像消去装置の一例として機能する。記憶部１４０は、ＥＥＰＲＯＭ（Electrically Erasable and Programmable Read Only Memory）などの不揮発性の記憶手段であり、制御部１１０が実行するコンピュータプログラムや、各種画像を表す画像情報を記憶している。通信部１７０は、通信回路やネットワークインタフェースからなり、この通信部１７０に通信可能に接続された通信装置と通信を行う。反射率検出部１６０は、例えば光源と受光部とを備えた光センサである。この反射率検出部１６０は、表示媒体の表示面に光を照射し、その反射光を受光して、表示媒体の表示面における光の反射率を検出する検出手段の一例として機能する。操作部１９０は、使用者の操作を受け付けて、その操作に応じた信号を制御部１１０に供給する。
【００１１】
書込ユニット１００は、光発生部１３０と、電圧印加部１５０とを備えている。光発生部１３０は、光源１３２を備えており、表示媒体に対する画像の書き込み乃至画像の消去時に照射する光を発生する。この光源１３２は、例えば、ライン状に配置された複数のＬＥＤと、画像を書き込む解像度に応じた範囲に各ＬＥＤの光を収束するレンズとを備えたＬＥＤアレイである。制御部１１０は、光源１３２の各ＬＥＤの明滅を制御するとともに、その光源１３２を移動させて表示媒体の表示面を走査させる。電圧印加部１５０は、電極と、例えばバイポーラ高電圧アンプなどの昇圧手段を備えた電圧印加手段の一例として機能する。表示媒体が書込ユニット１００の所定の位置に保持されると、表示媒体側の電極に書込ユニット１００側の電極が接触した状態となる。この状態で、電圧印加部１５０によって、電極を介して表示媒体２００に電圧が印加されるようになっている。
【００１２】
ここで、図２は、表示媒体２００を保持しているときの書込ユニット１００の側方断面図である。書込ユニット１００の筐体３０は、遮光性部材で構成されており、光発生部１３０および電圧印加部１５０の各構成を保持している。光発生部１３０の光源１３２は、表示媒体２００の下方から光を照射しつつ、図中左右方向に移動する。反射率検出部１６０は、筐体３０において、表示媒体２００の上方の位置に取り付けられている。
【００１３】
図３は、表示媒体２００の構成を示す図である。
表示媒体２００は、フィルム基板２１０及び２７０と、透明電極２２０及び２６０と、光導電層２３０と、着色層２４０と、表示素子層２５０とを備えており、これらによって画像が表示される表示面が構成されている。この表示媒体２００においては、画像の書き換えが複数回行えるようになっている。表示媒体２００に画像を書き込んだりその画像を消去するには、透明電極２２０と透明電極２６０との間に予め決められた波形の電圧を印加した状態で光源１３２より光を照射し、電圧の印加を停止すればよい。
【００１４】
フィルム基板２１０、２７０は、表示媒体２００の表面を保護するために設けられた層である。例えば、ＰＥＴ（ポリエチレンテレフタレート）からなる。フィルム基板２１０は、書込装置１によって光が照射される側に設けられている。フィルム基板２７０は、書き込まれた画像を使用者が観察する側に設けられている。透明電極２２０、２６０は、例えば、ＩＴＯ（酸化インジウム錫）からなる層である。透明電極２２０、２６０に接続された図示されていない電極と、書込装置側の電極とが接続された状態で、書込装置１によって電極に電圧が印加されると、透明電極２２０と透明電極２６０との間に電位差が生じる。
【００１５】
光導電層２３０は、照射される光の強度に応じてその導電率を異ならせる導電体からなる層である。光導電層２３０としては、例えば、有機光導電体を用いる。着色層２４０は、表示素子層２５０が光を透過する場合に観察される層であり、あらかじめ決められた色（例えば、黒）になっている。表示素子層２５０は印加される電圧に応じて光の反射状態を異ならせる表示素子を含む層である。表示素子層２５０は、バインダー樹脂中にマイクロカプセル状のコレステリック液晶表示素子を分散させたものである。コレステリック液晶表示素子は、配向状態として、プレーナ配向状態とフォーカルコニック配向状態とになりうる。コレステリック液晶表示素子は、プレーナ配向状態の場合は光を反射（ブラッグ反射）して、あらかじめ決められた色を呈し、フォーカルコニック配向状態にある場合は光を透過して着色層２４０の色を呈する。
【００１６】
表示媒体２００に表示されている画像を消去するときの手法として、フォトリセットと呼ばれる消去手法と、ダークリセットと呼ばれる消去手法がある。フォトリセットとは、電圧印加部１５０による電圧の印加と、光発生部１３０による光の照射とを同時に行うことで、表示媒体２００から画像を消去する手法である。このフォトリセットにおいて照射される光の光量は、画像を書き込むときに照射される光の光量よりも大きい。表示媒体２００は、画像が書き込まれた状態で長期間経過すると、その表示面の反射率が徐々に低下し、画像のコントラストが低下するという特性がある。そこで、フォトリセットによって、電圧印加とともに光量の大きい光を照射することにより、表示媒体２００の反射率を回復させるようになっている。一方、ダークリセットとは、光発生部１３０による光の照射を行わずに、電圧印加部１５０による電圧印加のみで、表示媒体２００から画像を消去する手法である。表示媒体２００に画像が書き込まれた状態でそれほど長い時間が経過していない場合には、表示面における光の反射率はあまり低下しない。よって、この場合は、フォトリセットのときのような大きな光量の光の照射は必要なく、電圧印加のみのダークリセットが行われる。
【００１７】
フォトリセットとダークリセットのどちらを用いるべきかは、表示媒体２００が置かれている環境の温度に大きく依存する。例えば表示媒体２００が高温環境下に長時間放置されると、表示媒体２００の反射率が大きく低下し、その表示面が全体的に黒ずむことがある。この場合には、画像を消去するときにフォトリセットが必要となる。一方、常温乃至低温で放置された場合には、反射率はそれほど低下しないから、ダークリセットで十分となる。
【００１８】
ここで、図４（Ａ）は、各温度における、表示媒体２００の放置時間と反射率低下の度合いとの関係を示す図である。横軸は、表示媒体２００を放置している時間であり、縦軸は、表示媒体２００の表示面における光の反射率である。各回帰曲線は、７０℃、６２℃、５５℃、４５℃および室温ＲＴにおける、それぞれの放置時間に対応する反射率の変化を示している。これらの回帰曲線が示すように、７０℃においては、約４０時間後に反射率が約０．５５となり、その後、一定となる状態が続いている。また、６２℃においては、約７０時間後に反射率が約０．６３となり、その後、一定となる状態が続いている。また、５５℃においては、約１２０時間後に反射率が約０．６６となり、その後、一定となる状態が続いている。また、４５℃においては、約１２０時間後に反射率が約０．８４となり、その後、一定となる状態が続いている。また、室温ＲＴにおいては、反射率の変化はほとんど認められない。このように、表示媒体２００を高温環境下においておくと、反射率は低下し、時間経過とともに一定値に収束する傾向が認められる。また、温度が高いほど、反射率の低下量は大きく、最も低い室温においては反射率の低下量は非常に小さい。
【００１９】
次に、図４（Ｂ）は、放置温度と、反射率が一定値に収束した後の反射率との関係を示す図である。横軸は、表示媒体２００を置いている場所の温度であり、縦軸は、表示媒体２００の表示面の光の反射率である。この回帰直線は、放置温度と放置後の反射率との関係を示しているが、放置温度が高くなるほど反射率が低くなっているから、両者は反比例の関係にあるといえる。
【００２０】
次に、図５（Ａ）は、放置後の各反射率と、表示媒体２００の表示面の反射率を回復させるのに必要な光の光量との関係を示す図である。横軸は、表示媒体２００の反射率回復に必要な光量エネルギー（μＪ/cm2）であり、縦軸は、表示媒体２００の表示面における
光の反射率である。各回帰曲線は、反射率の回復に必要な光量の変化を示しており、例えば反射率が０．５にまで低下した場合には、反射率を１まで回復させるためには約５０μＪ/cm2の光量が必要である（実験１）。また、反射率０．７５の場合には、反射率を回復
させるために約３０μＪ/cm2の光量が必要である（実験２）。また、反射率０．７８の場
合には、反射率を回復させるために約２０μＪ/cm2の光量が必要である（実験３）。また
、反射率０．８０の場合には、反射率を回復させるために約１５μＪ/cm2の光量が必要で
ある（実験４）。また、反射率０．８３の場合には、反射率を回復させるために約１０μＪ/cm2の光量が必要である（実験５）。
【００２１】
次に、図５（Ｂ）は、表示媒体２００の反射率と、表示媒体２００の反射率回復に必要な光量との関係を示す図である。横軸は、表示媒体２００の表示面における反射率であり、縦軸は、表示媒体２００の反射率回復に必要な光量である。この回帰直線を見ると分かるように、高温で放置した後の反射率が低いほど、回復に必要な光量が大きくなっているから、両者は反比例の関係といえる。
【００２２】
次に、図６は、電圧印加部１５０によって表示媒体２００に印加される電圧の波形と、表示媒体２００に対する光の照射期間との対応関係の一例を示したものである。図６（Ａ）がフォトリセットを行うときの図であり、図６（Ｂ）がダークリセットを行うときの図である。図６（Ａ）の期間Ｔ１においては、表示媒体２００に既に書き込まれている画像を消去するために、表示媒体２００に対して、図示しているような波形の電圧が電圧印加部１５０により印加される。図に示した正の電圧Ｖ１が印加される期間は例えば３００ｍｓであり、負の電圧Ｖ２が印加される期間は例えば２００ｍｓである。このような波形の電圧が印加されているときに、フォトリセットを行うための比較的大きな光量の光が光発生部１３０から表示媒体２００の全域に対して照射されることで、同一背景色の画像が表示面全体に書き込まれる。つまり、この期間Ｔ１の前に表示媒体２００に表示されていた画像が消去されることになる。そして、期間Ｔ２においては、画像情報に応じた画像を表示媒体２００に新たに書き込むため、電圧印加部１５０により正の電圧が印加されるとともに、画像情報に応じた光が光発生部１３０から表示媒体２００に照射されて、画像が書き込まれる。このときの正の電圧が印加される期間は例えば１０００ｍｓである。
【００２３】
期間Ｔ１において画像を消去して反射率を回復させるために表示媒体２００に照射される光の光量は、期間Ｔ２において画像を書き込むために表示媒体２００に照射される光の光量よりも大きい。例えば、画像書き込み時の光量が１．２μＪ/cm2から１．６μＪ/cm2
であるのに対し、高温放置後の反射率が０．７５にまで低下した場合の反射率回復に必要な光量は、１６μＪ/cm2である。従って、表示媒体２００に照射される光量は、制御部１
１０により、反射率検出部１６０により検出された反射率に応じて変化させられる。つまり、反射率が低いほど、照射光量は大きくなる。
【００２４】
一方、図６（Ｂ）のダークリセットの場合、図６（Ａ）のフォトリセットと同じ期間Ｔ１，Ｔ２において、図６（Ａ）と同じような波形の電圧が印加される。両者が異なるのは、期間Ｔ１において電圧が印加されるときに、光発生部１３０から表示媒体２００に対して光が照射されない点である。
【００２５】
以上のように、制御部１１０は、表示媒体２００に表示されている画像を消去するときには、その表示媒体２００に電圧を印加するとともに、反射率に応じた光量の光を光発生部１３０の光源１３２から表示媒体２００に対して照射させる画像消去手段の一例として機能する。なお、反射率に応じた光量の光を表示媒体２００に対して照射させるという意味には、反射率が閾値以下の場合には光を照射させ、反射率が閾値を超える場合には光量ゼロの光を照射させること、つまり光を照射させない、ということをも含んでいる。
【００２６】
（２）動作
図７は、制御部１１０が記憶部１４０に記憶されているプログラムを実行するときの処理を示すフローチャートである。同図を参照して、本実施形態の動作を説明する。
まず、制御部１１０は、表示媒体２００の表示面のうち少なくとも一部に、決められた色の画像を書き込む（ステップＳ１）。ここでいう「表示媒体２００の表示面のうち少なくとも一部」とは、表示面において光の反射率を検出する対象となる領域のことであり、例えば表示面の端部のみであってもよいし、表示面の全域であってもよい。また、「決められた色の画像」とは、光の反射率を検出するのに適した画像のことであり、例えば白色の均一画像、いわゆる白ベタ画像である。制御部１１０は、電圧印加部１５０により表示媒体２００に電圧を印加するとともに、光発生部１３０により表示媒体２００の表示面のうち少なくとも一部に対して光を照射させることで、白ベタ画像を書き込む。
【００２７】
次に、制御部１１０は、表示媒体２００の反射率を反射率検出部１６０によって検出させ、その反射率を反射率検出部１６０から取得する（ステップＳ２）。つまり、制御部１１０は、表示媒体２００の表示面における光の反射率を取得する取得手段の一例として機能する。次に、制御部１１０は、取得した反射率が閾値以下であるか否かを判定する（ステップＳ３）。この閾値は、フォトリセットとダークリセットのどちらを選択するかを判断する基準となる値であり、記憶部１４０に予め記憶されている。ここで、取得した反射率が閾値以下であれば（ステップＳ３；ＹＥＳ）、表示媒体２００が高温環境に放置されていたなどの理由で、その表示面の反射率が大きく低下しているということを意味するので、制御部１１０は、ステップＳ４のフォトリセットの処理に進む。
【００２８】
ステップＳ４において、制御部１１０は、図６（Ａ）を用いて説明したように、期間Ｔ１において、電圧印加部１５０により表示媒体２００に電圧を印加するとともに、光発生部１３０を移動させつつ、表示媒体２００の表示面の全域に対して光を照射させることにより、表示媒体２００の反射率の回復動作を行う。ここで、制御部１１０は、反射率検出部１６０が検出した反射率に応じて、表示媒体２００に照射する光の光量を調整する。表示媒体２００の反射率の回復のために必要な光量は、図５（Ｂ）に示したように、反射率検出部１６０が検出した表示媒体２００の反射率に応じて異なる。例えば反射率０．８５の場合、回復に必要な光量は、４μＪ/cm2であり、反射率０．７５の場合は、回復に必要
な光量は、１６μＪ/cm2である。したがって、制御部１１０は、反射率が第１の値である
場合には、表示媒体２００に電圧を印加するとともに、表示媒体２００に対して第１の光量の光を照射させる一方、反射率が第１の値よりも小さい第２の値である場合には、表示媒体２００に電圧を印加するとともに、表示媒体２００に対して第１の光量よりも大きい第２の光量の光を照射させる。
【００２９】
一方、ステップＳ３において、取得した反射率が閾値を超えていれば（ステップＳ３；ＮＯ）、制御部１１０は、ステップＳ５のダークリセットの処理に進む。ステップＳ５において、制御部１１０は、図６（Ｂ）を用いて説明したように、期間Ｔ１において、電圧印加部１５０によって表示媒体２００に電圧を印加するだけにとどめ、光発生部１３０による光の照射は行わない。
【００３０】
そして、ステップＳ４またはステップＳ５を経て、表示媒体２００に表示されていた画像が消去されると、制御部１１０は、図６（Ａ）、（Ｂ）に示したように、期間Ｔ２において、表示媒体２００に電圧を印加するとともに、画像情報に応じた光を光発生部１３０から表示媒体２００に対して照射させることにより、画像情報に応じた画像を書き込む（ステップＳ６）。
【００３１】
以上説明したように、制御部１１０は、反射率が閾値以下の場合には、表示媒体２００に対して電圧を印加するとともに、表示媒体２００に対して光を照射する。一方、反射率が閾値を超える場合には、制御部１１０は、表示媒体２００に対して光を照射させずに、表示媒体２００に電圧を印加することで、画像を消去する。反射率が閾値を超える場合には、表示媒体２００に対して光が照射されないから、光を照射する場合に比べると、その光の照射のための電力が低減されることになる。また、反射率が閾値以下の場合においては、表示媒体２００に対して照射される光の光量が反射率に応じたものになる。よって、反射率がどのような大きさであっても表示面の反射率を回復し得るような、十分な光量の光を照射する場合に比べると、その光の照射のための電力が低減される。
【００３２】
（３）変形例
上記実施形態を次のように変形してもよい。また、以下の各変形例を互いに組み合わせて実施してもよい。
（３−１）変形例１
上記実施形態において、反射率検出部１６０は、筐体３０に収容された状態の表示媒体２００の上方の位置に設けられていたが、これは、使用者の観察面が表示媒体２００の図中上方側であったためである。これとは逆に、使用者の観察面が表示媒体２００の図中下方である場合には、反射率検出部１６０を表示媒体２００の下方の位置に設ければよい。
また、上記実施形態において、表示媒体２００の表示面における光の反射率を検出する対象となる領域は、画像情報に応じた画像が書き込まれる領域の全部又は一部であったが、光の反射率の検出対象となる領域と、画像情報に応じた画像が書き込まれる領域とを、別々に構成してもよい。光の反射率の検出対象となる領域と、画像情報に応じた画像が書き込まれる領域とが、同一の材料で構成された表示媒体であれば、環境の温度に応じた反射率の低下の度合いもほぼ同じになるので、光の反射率の検出対象となる領域における反射率に応じて、画像情報に応じた画像が書き込まれる領域に対するリセットの手法を特定し得ることになる。図８は、反射率検出部１６０を表示媒体２００の下方に設け、かつ、光の反射率の検出対象となる領域ａ１と、画像情報に応じた画像が書き込まれる領域ａ２とを別々に構成したときの、書込ユニット１００の構成を示す側方断面図である。
【００３３】
（３−２）変形例２
また、実施形態では、光の反射率の検出対象となる領域に対して白ベタ画像を書き込んでから反射率の検出を行っていた。ただし、もともと表示媒体２００に書き込まれている画像の中に、光の反射率の検出対象として適した画像領域（例えば白ベタ画像）が存在するのであれば、表示媒体２００に白ベタ画像を書き込まずに、反射率の検出を行ってもよい。この場合、表示媒体２００の表示面のうち、光の反射率の検出対象として適した画像領域がどこにあるかを特定する必要がある。そこで、制御部１１０は、表示媒体２００に書き込んだ画像の画像情報を記憶部１４０に記憶しておき、記憶している画像情報を解析して上記領域を特定し、特定した位置に反射率検出部１６０を移動させて、表示面の反射率を検出させるようにすればよい。
【００３４】
（３−３）変形例３
上記実施形態では、制御部１１０は、フォトリセットを行うときに、反射率検出部１６０が検出した反射率に応じて、表示媒体２００に対して照射する光の光量を変えていたが、これ限らず、フォトリセット時に照射される光の光量を一定のままにしてもよい。
【００３５】
（３−４）変形例４
上記実施形態では、画像の消去時と画像の書き込み時とにおいて１つの光源を併用していたが、画像の消去時に用いる光源と、画像の書き込み時に用いる光源とを２つ用意しておいてもよい。画像の消去時に用いる光源（以下、補助光源という）は、例えば有機ＥＬなどで構成されており、表示媒体２００に記録された画像等の情報を消去するときに照射する光を発生する。この補助光源は、表示媒体２００の表示面の全域に対して同時に光を照射してもよいし、表示媒体２００の表示面に対して移動しながら走査するようにしてもよい。
【００３６】
（３−５）変形例５
実施形態では、制御部１１０は、表示媒体２００に対して、ステップＳ４でフォトリセットを行った後又はステップＳ５でダークリセットを行った後に、ステップＳ６で画像を書き込んでいるが、このステップＳ４又はステップＳ５の後に、反射率が回復しているか否かを確認するため、もう一度、表示面の光の反射率を検出するようにしてもよい。そして、この検出により得られた反射率が、十分な反射率となる値以下であれば、制御部１１０は、ステップＳ６の画像書き込み処理に進まずに、エラーの旨を報知するエラー処理を行う。表示媒体２００の劣化や書込装置１の故障により、表示媒体２００の反射率が回復しない場合であっても、本変形例のようにすれば、反射率が十分ではない旨が報知されて、使用者がそれを認識し得ることになる。
【００３７】
（３−６）変形例６
本実施形態では、制御部１１０が反射率検出部１６０により検出された表示媒体２００の反射率の大きさに基づいて、フォトリセットまたはダークリセットを行うかを判断しているが、この判断の根拠は、反射率のみに限定されるものではなく、別の根拠を併用してもよい。例えば、表示媒体２００の保存されている時間および温度を書込装置１に入力することにより、制御部１１０が、時間および温度の相関関係を算出し、これらをフォトリセットまたはダークリセットを選択する際の根拠に加えてもよい。この場合、書込装置１への入力は、例えば、ＲＦＩＤタグを用いてもよい。
【００３８】
（３−７）変形例７
実施形態ではコレステリック液晶表示素子を用いていたが、これに限らず、画像書き換え後に表示面における光の反射率が低下し、その反射率を電圧印加と光の照射とによって回復し得るような素子であれば、どのようなものでもよい。
また、実施形態では、制御部１１０が表示媒体２００に書き込まれている画像を別の画像に書き換える場合を例に挙げて説明したが、これに限らず、制御部１１０が表示媒体２００に書き込まれている画像を単に消去するだけ、つまり背景色の画像を表示領域全体に書き込む場合に上記実施形態の仕組みを適用してもよい。
【００３９】
（３−８）変形例８
制御部１１０が実行するプログラムは、コンピュータを、照射される光に応じた表示を行う表示媒体の表示面における、光の反射率を取得する取得手段と、前記表示媒体に表示されている画像を消去するときに、電圧を印加する電圧印加手段により当該表示媒体に電圧を印加させるとともに、前記取得手段によって取得された反射率に応じた光量の光を光源から当該表示媒体に対して照射させる画像消去手段として機能させるためのプログラムである。このプログラムは、磁気テープ、磁気ディスク、フレキシブルディスク、光記録媒体、光磁気記録媒体、ＣＤ（Compact Disk）、ＤＶＤ（Digital Versatile Disk）、ＲＡＭなどの記録媒体に記録した状態で提供し得る。また、図７に示した各処理は、制御部１１０のＣＰＵ以外の構成、例えば専用のプロセッサなどが行ってもよい。
【図面の簡単な説明】
【００４０】
【図１】実施形態に係る書込装置の構成を示すブロック図である。
【図２】実施形態に係る書込ユニットの構成を示す側方断面図である。
【図３】実施形態に係る表示媒体の構成を示す図である。
【図４】（Ａ）各温度における放置時間と反射率低下との関係を示す図であり、（Ｂ）放      置温度と反射率が一定値に収束した後の反射率との関係を示す図である。
【図５】（Ａ）放置後の各反射率と回復光量との関係を示す図であり、（Ｂ）反射率と回復光量との関係を示す図である。
【図６】（Ａ）フォトリセットにおける電圧波形と露光との対応関係の一例を示す図であ      り、（Ｂ）ダークリセットにおける電圧波形と露光との対応関係の一例を示す図で      ある。
【図７】実施形態に係る処理の一例を示すフローチャートである。
【図８】変形例に係る書込ユニットの構成を示す図である。
【符号の説明】
【００４１】
１…書込装置、１００…書込ユニット、３０…筺体、１１０…制御部、１３０…光発生部、１３２…光源、１４０…記憶部、１５０…電圧印加部、１６０…反射率検出部、１７０…通信部、１９０…操作部、２００…表示媒体
【図１】
2010078710.tif 000003
【図２】
2010078710.tif 000004
【図３】
2010078710.tif 000005
【図４】
2010078710.tif 000006
【図５】
2010078710.tif 000007
【図６】
2010078710.tif 000008
【図７】
2010078710.tif 000009
【図８】
2010078710.tif 000010